(57)【要約】【課題】剃刀刃の剃圧を自在に調整することができる剃圧調整機構付きカミソリの提供を図る。【解決手段】カミソリ部と把持部と連結部とから成り、前記把持部と前記連結部は剃圧調整機構を介して連結され、該剃圧調整機構は、前記連結部を形成する可撓性部材よりも弾性係数の大きい可撓性部材で形成されるスライド式可撓性部材を組み合わせて構成され、該スライド式可撓性部材が、該連結部の内部に挿通又は外部を被装するように往復摺動し、前記連結部の剛性を変化させることで、剃刀刃の剃圧を自在に調整する手段を採る。また、前記スライド式可撓性部材が、前記連結部の略中心付近に設けた挿通スライド孔内を往復摺動する剃圧調整ロッドや、前記連結部の外部を被装するように往復摺動する剃圧調整ロッドであり、前記把持部には該剃圧調整ロッドを摺動可能に装着するためのスライド溝を形成する手段も採り得る。【選択図】図３
2012139424.tif 000002
【特許請求の範囲】
【請求項１】
カミソリ刃の剃圧を自在に調整することができる剃圧調整機構付きカミソリであって、
カミソリ本体は、剃刀刃を備えるカミソリ部と、
把持部と、
前記カミソリ部と前記把持部を連結する連結部と、
から成り、
前記把持部と前記連結部は剃圧調整機構を介して連結され、
該剃圧調整機構は、
前記連結部を形成する可撓性部材よりも弾性係数の大きい可撓性部材で形成されるスライド式可撓性部材を組み合わせて構成され、
該スライド式可撓性部材が、該連結部の内部に挿通又は外部を被装するように往復摺動し、
前記連結部の剛性を変化させることで、剃刀刃の剃圧を自在に調整することができることを特徴とする剃圧調整機構付きカミソリ。
【請求項２】
前記スライド式可撓性部材が、
前記連結部の略中心付近に設けた挿通スライド孔内を往復摺動する剃圧調整ロッドであり、
前記把持部には該剃圧調整ロッドを摺動可能に装着するためのスライド溝が形成されていることを特徴とする請求項１に記載の剃圧調整機構付きカミソリ。
【請求項３】
前記スライド式可撓性部材が、
前記連結部の外部を被装するように往復摺動する剃圧調整ロッドであり、
前記把持部には該剃圧調整ロッドを摺動可能に装着するためのスライド溝が形成されていることを特徴とする請求項１に記載の剃圧調整機構付きカミソリ。
【請求項４】
前記カミソリが、ナイフ形カミソリ、Ｔ字型安全カミソリ又は、Ｔ字型振動式電動カミソリの何れかであることを特徴とする請求項１から請求項３のいずれかに記載の剃圧調整機構付きカミソリ。
【請求項５】
前記ナイフ形カミソリのカミソリ部の背面にクリップ式肌圧ローラを着脱自在に取り付けたことを特徴とする請求項１から請求項３のいずれかに記載の剃圧調整機構付きカミソリ。
【発明の詳細な説明】
【技術分野】
【０００１】
本発明は、剃刀刃の剃圧を自在に調整することができる剃圧調整機構付きカミソリに関する。
【背景技術】
【０００２】
従来より、髭剃り時に使用されるカミソリにおいて、肌面に剃圧した剃刀刃を当てる方法としては、カミソリの連結部に柔軟部材を設け、その弾性力によって肌面に当たるカミソリ刃を剃圧する方法が提案されている。
【０００３】
例えば、棒状を成すハンドル部と、該ハンドル部の先端に連接した棒状のヘッド部と、該ヘッド部に沿って取り付けた剃刃を備え、前記ハンドル部およびヘッド部を可撓性材料で構成した「携帯用かみそり」（特許文献１参照）が提案され、公知技術となっている。
【０００４】
また、弾性接続部材をハンドルと刃ユニットとの間で弧状ラインに形成し、刃ユニットを固定することができる端部で少なくても１つの刃が弾性接続部材の弧状ラインの接線にほぼ直角平面に配置されるように弾性接続部材に固定することができる「使い捨てカミソリ」（特許文献２参照）が提案され、公知技術となっている。
【０００５】
また、携帯用のＴ字型振動カミソリ器であって、バッテリー接続端子が備えられたホルダーと、該ホルダーの上方に取り付けられる振動発生装置が付設された弾性部材で形成された連結柄と、該「連結柄へ連結するための連結部を下方に有する着脱自在のＴ字型替刃ユニットと、からなる本出願人による「携帯用Ｔ字型振動カミソリ器」（特許文献３参照）が提案され、公知技術となっている。
【０００６】
しかしながら、それらの提案の何れも、連結部に弾性部材を設け、その弾性部材の弾性力によってカミソリ刃を剃圧する方法を採っているため、使用される弾性部材の変形度合いの範囲内での剃圧力に限定され、使用者の好みや肌合いに合った剃圧調整ができない問題があった。
【０００７】
従って、女性の産毛を剃るような場合には剃圧を小さくでき、男性の場合で特に太く密集しているような部分の髭を剃るような場合では剃圧を大きくできるような剃圧調整機能を備えたカミソリの提供が望まれるところである。
【０００８】
本出願人は、それらの問題を解決しようと、カミソリの連結部を可撓性素材で形成し、該連結部よりも弾性係数の大きい可撓性部材で形成されるスライド式可撓性部材の剃圧調整ロッドを組み合わせて構成すれば、剃圧調整を自在に調節できるのではないかという着想の下、本発明における剃圧調整機構付きカミソリの提案に至ったものである。
【先行技術文献】
【特許文献】
【０００９】
【特許文献１】特開平８-３２３０６８号公報公報
【特許文献２】特表２０００-５０２２６７号
【特許文献３】特開２００７-３０７０７８号公報
【発明の概要】
【発明が解決しようとする課題】
【００１０】
本発明は、上記問題点に鑑み、剃刀刃の剃圧を自在に調整することができる剃圧調整機構付きカミソリの提供を図る。
【課題を解決するための手段】
【００１１】
本発明の剃圧調整機構付きカミソリは、剃刀刃の剃圧を自在に調整することができる剃圧調整機構付きカミソリであって、剃刀刃を備えるカミソリ部と、把持部と、前記カミソリ部と前記把持部を連結する連結部とから成り、前記把持部と前記連結部は剃圧調整機構を介して連結され、該剃圧調整機構は、前記連結部を形成する可撓性部材よりも弾性係数の大きい可撓性部材で形成されるスライド式可撓性部材を組み合わせて構成され、該スライド式可撓性部材が該連結部の内部に挿通又は外部を被装するように往復摺動し、前記連結部の剛性を変化させることで、剃刀刃の剃圧を自在に調整することができる手段を採る。
【００１２】
また、本発明の剃圧調整機構付きカミソリは、前記スライド式可撓性部材が、前記連結部の略中心付近に設けた挿通スライド孔内を往復摺動する剃圧調整ロッドであり、前記把持部には該剃圧調整ロッドを摺動可能に装着するためのスライド溝を形成して成る構成に限定した剃圧調整機構付きカミソリとする手段も採り得る。
【００１３】
また、本発明の剃圧調整機構付きカミソリは、前記スライド式可撓性部材が、前記連結部の外部を被装するように往復摺動する剃圧調整ロッドであり、前記把持部の外周に該剃圧調整ロッドを摺動可能に装着するためのスライド溝が形成して成る構成に限定した剃圧調整機構付きカミソリとする手段も採り得る。
【００１４】
また本発明は、前記カミソリが、ナイフ形カミソリ、Ｔ字型安全カミソリ又は、Ｔ字型の振動式電動カミソリの何れかである手段も採り得る。
【００１５】
また本発明は、前記ナイフ形カミソリのカミソリ部の背面にクリップ式肌圧ローラを着脱自在に取り付けた手段も採り得る。
【発明の効果】
【００１６】
本発明の剃圧調整機構付きカミソリによれば、把持部とカミソリ部の中間の連結部にコンパクトに取り付けられ、剃圧操作も簡単であることから、使用者の肌合いに合った剃圧調整ができ、女性の産毛を剃るような場合には剃圧を小さく設定して肌に優しく接し、男性の場合で特に太く密集しているような部分の髭を剃るような場合では、剃圧を大きくして硬い髭に負けないように連結部を硬く設定して、しっかりと剃ることができるという優れた効果を奏する。
【００１７】
本発明の剃圧調整機構付きカミソリによれば、剃圧調整機構が極めて簡単且つ安価な構造で構成されているため、使い勝手が良い上、軽量化ならびに製造コストの低廉が図れる優れた効果を奏する。
【００１８】
本発明の剃圧調整機構付きカミソリによれば、ナイフ形カミソリのカミソリ部の背部にクリップ式肌圧ローラを着脱自在に取り付けた剃圧調整機構付きカミソリで髭剃りを行うことによって、髭剃り後の肌面の荒れを和らげると共に、前記剃圧調整機構によって、クリップ式肌圧ローラの肌への接触状態が顔などの表面形状に追従して効果的に接触することから、高いマッサージ効果が得られるという優れた効果を奏する。
【図面の簡単な説明】
【００１９】
【図１】本発明の剃圧調整機構付きカミソリにおける剃圧調整機構の基本構成を示す説明図である。
【図２】本発明の剃圧調整機構付きカミソリにおける実施形態を示す説明図である。（実施例１）
【図３】本発明の剃圧調整機構付きカミソリにおける別の実施形態を示す説明図である。（実施例２）
【図４】本発明の剃圧調整機構付きカミソリにおける別の実施形態を示す説明図である。（実施例３）
【図５】本発明の剃圧調整機構付きカミソリにおける別の実施形態を示す説明図である。（実施例４）
【発明を実施するための形態】
【００２０】
本発明の剃圧調整機構付きカミソリ１は、剃圧を調整することが可能な機能を有し、該剃圧調整手段として、連結部３０を形成する可撓性部材よりも弾性係数の大きい可撓性部材で形成されるスライド式可撓性部材を組み合わせて構成し、その弾性係数の差によって剃圧の調整を可能とする構成手段を採ったことを最大の特徴とする。以下、実施例を図面に基づいて説明する。
【００２１】
また、本実施例で示される剃圧調整機構付きカミソリ１の形態は、下記に述べる実施例に特に限定されるものでなく、本発明の技術的思想に逸脱しない範囲で任意に変更することができる。
【００２２】
図１は、本発明の剃圧調整機構付きカミソリ１における剃圧調整機構２１の基本構成を示す説明図である。本発明に係る剃圧調整機構付きカミソリ１は、剃刀刃１１の剃圧を自在に調整することができる剃圧調整機構付きカミソリ１であって、本体は、剃刀刃１１を備えるカミソリ部１０と、把持部２０と、前記カミソリ部１０と前記把持部２０を連結する連結部３０とから成り、前記把持部２０と前記連結部３０は剃圧調整機構２１を介して連結されている。以下の実施例の説明に用いる図は、剃圧調整機構２１が、連結部３０の略中心付近に設けた挿通スライド孔３２内に剃圧調整ロッド２４を往復摺動させる構成のものを用いて説明する。
【実施例１】
【００２３】
図２は、本発明の剃圧調整機構付きカミソリ１における第１の実施形態を示す説明図である。図２（a）は、全体斜視図を示し、図２（ｂ）は、切断端面図を示す。剃刀刃１１の剃圧を自在に調整することができる剃圧調整機構２１付きナイフ形カミソリ５０であって、剃圧調整機構付きカミソリ１は、剃刀刃１１を備えるカミソリ部１０と、剃圧調整機構２１を内蔵する把持部２０と、該カミソリ部１０と把持部２０を連結する連結部３０と、で構成される。
【００２４】
カミソリ部１０は、研ぎ用の剃刀刃１１を備えるもので、一般的には肌毛や眉毛、無駄毛の処理の安全剃刀として使われている。  
【００２５】
把持部２０は、剃圧調整機構付きカミソリ１を手で握る柄であって、剃圧調整機構２１に係る剃圧調整ロッド２４がスライド溝２３に内蔵される構造で形成されている。
【００２６】
剃圧調整機構２１は、把持部２０に内蔵され、剃圧調整ロッド２４に連結する摘み部２２は、把持部２０の外周部に設けられるスライド溝２３を往復スライドすることによって剃刀刃１１の剃圧を自在に調整する。該剃圧調整手段として、連結部３０を形成する可撓性部材３１よりも、弾性係数の大きい可撓性部材を用いた剃圧調整ロッド２４を、連結部３０の挿通スライド孔３２内で往復させ、その弾性係数の差によって剃圧硬の調整を可能としている。
【００２７】
連結部３０は、可撓性部材３１で形成され、剃圧調整機構付きカミソリ１の把持部２０とカミソリ部１０を連結する部分で、略中心に中空の挿通スライド孔３２が設けられ、該中空の挿通スライド孔３２を剃圧調整ロッド２４が往復スライドする構造で形成されている。
【００２８】
ナイフ形カミソリ５０は、主に肌毛や眉毛、無駄毛の処理用として使われるナイフ形のカミソリで、肌の柔らかさに合わせて剃刀刃１１の剃圧を自在に調整することができる構造で形成されている。
【実施例２】
【００２９】
図３は、本発明の剃圧調整機構付きカミソリにおける第２の実施形態を示す説明図である。図３（a）は、全体斜視図を示し、図３（ｂ）は、切断端面図を示す。剃刀刃１１の剃圧を自在に調整することができる剃圧調整機構２１付きのＴ字型安全カミソリ６０であって、剃刀刃１１を備えるカミソリ部１０と、把持部２０と、該カミソリ部１０と把持部２０を連結する連結部３０と、で構成される。
【００３０】
カミソリ部１０は、Ｔ字型のカートリッジ型の剃刀刃１１を備えるもので、一般的には男性用の髭剃りとして使われている。  
【００３１】
把持部２０は、剃圧調整機構付きカミソリ１を握る柄であって、剃圧調整ロッド２４がスライド溝２３に内蔵される構造で形成されている。
【００３２】
剃圧調整機構２１は、把持部２０に内蔵される剃圧調整ロッド２４を摘み部２２により操作し、連結部３０内の挿通孔３２内に剃圧調整ロッド２４摺動させ、剃圧を自在に調整することができる構造である。
【００３３】
連結部３０は、可撓性部材３１で形成され、カミソリ本体１の把持部２０とカミソリ部１０を連結する部分で略中心に中空の挿通スライド孔３２が設けられ、該中空の挿通スライド孔３２を剃圧調整ロッド２４が往復スライドする構造で形成されている。
【００３４】
剃圧調整機構付きのＴ字型安全カミソリ６０は、主に一般家庭やホテルなどのアメニティ用品として使われる使い捨てのＴ字型安全カミソリで、構造が簡単で廉価な構造で形成されている。
【実施例３】
【００３５】
図４は、本発明の剃圧調整機構付きカミソリ１における第３の実施形態を示す説明図である。図４（a）は、全体斜視図を示し、図４（ｂ）は、切断端面図を示す。剃刀刃１１の剃圧を自在に調整することができる剃圧調整機構２１付きのＴ字型振動式電動カミソリ７０であって、剃刀刃１１を備えるカミソリ部１０と、剃圧調整機構２１を内蔵する把持部２０と、該カミソリ部１０と把持部２０を連結する連結部３０と、で構成される。
【００３６】
カミソリ部１０は、Ｔ字型の振動式カートリッジ剃刀刃１１を備えるもので、一般的には携帯用の男性用の髭剃りとして使われている。  
【００３７】
把持部２０は、カミソリ本体２の握る柄であって、剃圧調整機構２１や振動モータ４０、電池４１などが内蔵される構造で形成されている。
【００３８】
剃圧調整機構２１は、把持部２０に内蔵される剃圧調整ロッド２４を摘み部２２により操作し、連結部３０内の挿通孔３２内に剃圧調整ロッド２４摺動させ、剃圧を自在に調整することができる構造である。
【００３９】
連結部３０は、可撓性部材３１で形成され、把持部２０とカミソリ部１０を連結する部分で略中心に中空の挿通スライド孔３２が設けられ、該中空の挿通スライド孔３２を剃圧調整ロッド２４が往復スライドする構造で形成されている。
【００４０】
Ｔ字型振動式電動カミソリ７０は、主に携帯用のＴ字型の振動式電動カミソリで、場所と時間を選ぶことなくいつでも使用できる構造で形成されている。
【実施例４】
【００４１】
図５は、本発明の剃圧調整機構付きカミソリ１における別の実施形態を示す説明図である。図５（a）は、全体斜視図を示す。剃刀刃１１の剃圧を自在に調整することができる剃圧調整機構２１付きナイフ形カミソリ５０のカミソリ部１０の背面にクリップ式肌圧ローラ８０を着脱自在に取り付けたものである。
【００４２】
図５（ｂ）は、髭剃り時の使用状態を示す。ナイフ形カミソリ５０のカミソリ部１０の背面に、クリップ式肌圧ローラ８０を取り付けて通常と同じように髭剃りを行う。
【００４３】
図５（ｃ）は、マッサージ時の使用状態を示す。ナイフ形カミソリ５０のカミソリ部１０の背面に、クリップ式肌圧ローラ８０のクリップ部８１を取り付けて髭剃りを行なった後、肌圧ローラ部８２で肌面Ｓを撫でるように折り返すことによって、髭剃り後の肌面Ｓの荒れを和らげると共に肌面Ｓのマッサージを同時に行うことができる。
【産業上の利用可能性】
【００４４】
本発明の剃圧調整機構付きカミソリは、把持部とカミソリ部の中間に可撓性部材で形成される連結部と把持部に内蔵される剃圧調整機構によって肌圧操作も簡単にできることから、歯ブラシ、耳掻き、美顔マッサージ具、ネイル研磨具、除去作業工具の柄等に応用することができるもので、本発明における剃圧調整機構付きカミソリの産業上の利用可能性は大とするものと解する。
【符号の説明】
【００４５】
１    剃圧調整機構付きカミソリ
１０  カミソリ部
１１  剃刀刃
２０  把持部
２１  剃圧調整機構
２２  摘み部
２３  スライド溝
２４  剃圧調整ロッド
３０  連結部
３１  可撓性部材
３２  挿通スライド孔
４０  振動モータ
４１  電池
５０  ナイフ形カミソリ
６０  Ｔ字型安全カミソリ
７０  Ｔ字型振動式電動カミソリ
８０  クリップ式肌圧ローラ
８１  クリップ部
８２  肌圧ローラ部
Ｈ    髭
Ｓ    肌面
【図１】
2012139424.tif 000003
【図２】
2012139424.tif 000004
【図３】
2012139424.tif 000005
【図４】
2012139424.tif 000006
【図５】
2012139424.tif 000007
【手続補正書】
【提出日】平成23年4月27日(2011.4.27)
【手続補正１】
【補正対象書類名】明細書
【補正対象項目名】００３２
【補正方法】変更
【補正の内容】
【００３２】
剃圧調整機構２１は、把持部２０に内蔵される剃圧調整ロッド２４を摘み部２２により操作し、連結部３０内の挿通スライド孔３２内に剃圧調整ロッド２４摺動させ、剃圧を自在に調整することができる構造である。
【手続補正２】
【補正対象書類名】明細書
【補正対象項目名】００３８
【補正方法】変更
【補正の内容】
【００３８】
剃圧調整機構２１は、把持部２０に内蔵される剃圧調整ロッド２４を摘み部２２により操作し、連結部３０内の挿通スライド孔３２内に剃圧調整ロッド２４摺動させ、剃圧を自在に調整することができる構造である。
【手続補正３】
【補正対象書類名】図面
【補正対象項目名】図１
【補正方法】変更
【補正の内容】
【図１】
2012139424.tif 000008